(57)【要約】【課題】  楽器全体の小型化を図ると共に、鍵盤蓋を安全に開閉することができる鍵盤楽器の蓋開閉装置を提供する。【解決手段】  鍵盤部３が内部に配置された楽器本体１と、前蓋１２と後蓋１３とが回動連結部１６で回動自在に連結された鍵盤蓋１０と、この鍵盤蓋１０を収納する蓋収納部１１と、楽器本体１に対する鍵盤蓋１０の開閉動作を一定の移動軌跡（Ｋ）に規制するリンクアーム１７とを備えた。従って、鍵盤蓋１０を収納する際に、リンクアーム１７によって鍵盤蓋１０を楽器本体１に対する一定の移動軌跡上に沿って開閉させることができる。このため、鍵盤蓋１０を楽器本体１の下部側に収納するので、楽器全体１の小型化を図ることができ、またリンクアーム１７によって鍵盤蓋１０の開閉動作を安定させて鍵盤蓋１０を安全に開閉することができる。【選択図】        図３
2010164682.tif 000002
【特許請求の範囲】
【請求項１】
鍵盤部が内部に配置された楽器本体と、
前記鍵盤部の前端側を覆う前蓋と前記鍵盤部の上部側を覆う後蓋とが回動連結部によって回動自在に連結された鍵盤蓋と、
前記楽器本体の下部側に設けられて前記鍵盤蓋を移動可能に収納する蓋収納部と、
前記楽器本体に対する前記鍵盤蓋の開閉動作を一定の移動軌跡に規制する移動規制部材と、
を備えていることを特徴とする鍵盤楽器の蓋開閉装置。
【請求項２】
前記移動規制部材は、一端部が前記楽器本体内の前端上部に回動自在に取り付けられ、他端部が前記後蓋に回動自在に取り付けられたリンク部材を備えていることを特徴とする請求項１に記載の鍵盤楽器の蓋開閉装置。
【請求項３】
前記後蓋は、複数に分割され、それぞれスライド可能に積み重なる状態で連結されていることを特徴とする請求項１または請求項２に記載の鍵盤楽器の蓋開閉装置。
【請求項４】
前記移動規制部材は、前記前蓋の下部に設けられた回転体と、この回転体を前記蓋収納部内にガイドするガイド部材とを更に備えていることを特徴とする請求項１〜請求項３のいずれかに記載の鍵盤楽器の蓋開閉装置。
【請求項５】
前記前蓋は、前記楽器本体から露出する前記鍵盤部の前端上部のみに対応して設けられていることを特徴とする請求項１〜請求項４のいずれかに記載の鍵盤楽器の蓋開閉装置。
【発明の詳細な説明】
【技術分野】
【０００１】
この発明は、電子ピアノなどの鍵盤楽器において鍵盤蓋を開閉自在に収納する鍵盤楽器の蓋開閉装置に関する。
【背景技術】
【０００２】
従来、鍵盤楽器においては、特許文献１に記載されているように、楽器本体内に配置された鍵盤部を開閉可能に覆うための鍵盤蓋を前蓋と後蓋とに分割し、この前蓋と後蓋とを蝶番によって折れ曲がり可能に連結し、この鍵盤蓋をガイドレール部材に沿って移動させて楽器本体内の後部側に収納するように構成されたものが知られている。
【０００３】
すなわち、この鍵盤楽器は、鍵盤蓋を開いて鍵盤部を露出させる際に、前蓋を持ち上げながら楽器本体の後方に向けて移動させると、後蓋がガイドレール部材に沿って後方に移動しながら蝶番を中心に前蓋に対して徐々に折れ曲がり、この折れ曲がった後蓋が鍵盤部の後方に位置する楽器本体内の後部側に斜めに傾斜した状態で起立するように収納されると共に、前蓋が楽器本体の天板の下側にこれとほぼ平行な状態で収納されるように構成されている。
【先行技術文献】
【特許文献】
【０００４】
【特許文献１】特開２００７−１０２０４５号公報
【発明の概要】
【発明が解決しようとする課題】
【０００５】
しかしながら、このような従来の鍵盤楽器では、鍵盤蓋を開いて鍵盤部を露出させたときに、前蓋が天板の下側にほぼ平行に配置されると共に、後蓋が楽器本体内の後部側に斜めに傾斜した状態で起立して配置されるため、鍵盤部の後方に位置する楽器本体内に鍵盤蓋を収納する広いスペースを設けなければならない。さらに、この後方に位置する楽器本体に、操作スイッチやスピーカ、回路基板、譜面立てなどの部品を実装する場合、楽器本体が大型化するという問題がある。
【０００６】
そこで、このような問題を解消するために、鍵盤蓋を楽器本体の下側に収納することが考えられているが、鍵盤蓋を前蓋と後蓋とに分割して蝶番によって単に折れ曲がるように構成しただけでは、鍵盤蓋を開閉する際に、前蓋と後蓋とが蝶番を中心に勝手に折れ曲げるため、鍵盤蓋の開閉動作が不安定になり、安全に鍵盤蓋を開閉することができないという問題が生じる。
【０００７】
この発明が解決しようとする課題は、鍵盤蓋を楽器本体の下部側に収納して楽器全体の小型化を図ることができると共に、鍵盤蓋を安全に開閉することができる鍵盤楽器の蓋開閉装置を提供することである。
【課題を解決するための手段】
【０００８】
この発明は、上記課題を解決するために、次のような構成要素を備えている。
請求項１に記載の発明は、鍵盤部が内部に配置された楽器本体と、前記鍵盤部の前端側を覆う前蓋と前記鍵盤部の上部側を覆う後蓋とが回動連結部によって回動自在に連結された鍵盤蓋と、前記楽器本体の下部側に設けられて前記鍵盤蓋を移動可能に収納する蓋収納部と、前記楽器本体に対する前記鍵盤蓋の開閉動作を一定の移動軌跡に規制する移動規制部材と、を備えていることを特徴とする鍵盤楽器の蓋開閉装置である。
【０００９】
請求項２に記載の発明は、前記移動規制部材が、一端部を前記楽器本体内の前端上部に回動自在に取り付け、他端部を前記後蓋に回動自在に取り付けたリンク部材を備えていることを特徴とする請求項１に記載の鍵盤楽器の蓋開閉装置である。
【００１０】
請求項３に記載の発明は、前記後蓋が、複数に分割され、それぞれスライド可能に積み重なる状態で連結されていることを特徴とする請求項１または請求項２に記載の鍵盤楽器の蓋開閉装置である。
【００１１】
請求項４に記載の発明は、前記移動規制部材が、前記前蓋の下部に設けられた回転体と、この回転体を前記蓋収納部内にガイドするガイド部材とを更に備えていることを特徴とする請求項１〜請求項３のいずれかに記載の鍵盤楽器の蓋開閉装置である。
【００１２】
請求項５に記載の発明は、前記前蓋が、前記楽器本体から露出する前記鍵盤部の前端上部のみに対応して設けられていることを特徴とする請求項１〜請求項４のいずれかに記載の鍵盤楽器の蓋開閉装置である。
【発明の効果】
【００１３】
この発明によれば、鍵盤部の前端側を覆う前蓋と鍵盤部の上部側を覆う後蓋とを回動連結部で回動自在に連結した鍵盤蓋を、楽器本体の下部側に移動させて蓋収納部に収納する際に、移動規制部材によって鍵盤蓋を楽器本体に対する一定の移動軌跡上に沿って開閉させることができるので、回動連結部を中心に鍵盤蓋の前蓋と後蓋とが勝手に回動して自由に折れ曲がることがない。
【００１４】
このため、鍵盤蓋を楽器本体の下部側に設けられた蓋収納部に収納するので、鍵盤部の後部側に位置する楽器本体内に鍵盤蓋を収納するスペースを設ける必要がなく、鍵盤部の後部側に操作スイッチやスピーカ、回路基板、譜面立てなどの部品を実装しても、楽器本体の奥行きが大きくならず、十分に楽器全体の小型化を図ることができると共に、移動規制部材によって鍵盤蓋の開閉動作を一定の移動軌跡に規制して、鍵盤蓋の開閉動作を安定させることができるので、鍵盤蓋を安全に開閉することができる。
【図面の簡単な説明】
【００１５】
【図１】この発明を適用した鍵盤楽器の一実施形態を示した平面図である。
【図２】図１の鍵盤楽器のＡ−Ａ矢視における断面図である。
【図３】図２の鍵盤楽器における要部を示した拡大断面図である。
【図４】図３の鍵盤蓋を示し、（ａ）は鍵盤蓋を閉じた状態を示した拡大断面図、（ｂ）は鍵盤蓋の第２後蓋をスライドさせて第１後蓋上に重ね合わせた状態を示した拡大断面図である。
【図５】図１の鍵盤楽器のＢ−Ｂ矢視における要部を示した拡大断面図である。
【図６】図１の鍵盤楽器のＣ部を示した一部破断した拡大断面図である。
【図７】図６のリンクアームと支持アームとを示し、（ａ）はリンクアームを示した拡大図、（ｂ）は支持アームを示した拡大図である。
【図８】図３における鍵盤蓋を蓋収納部に収納する際においてリンクアームが起立した状態を示した拡大断面図である。
【図９】図８における鍵盤蓋を更に移動させてリンクアームが前下がりに傾斜した状態を示した拡大断面図である。
【図１０】図９における鍵盤蓋を更に移動させて蓋収納部に収納した状態を示した拡大断面図である。
【発明を実施するための形態】
【００１６】
以下、図１〜図１０を参照して、この発明を適用した鍵盤楽器の蓋開閉装置の一実施形態について説明する。
この鍵盤楽器は、図１および図２に示すように、楽器本体１を備えている。この楽器本体１は、その左右の両側部に一対の側板２（図２では片側のみを示す）が取り付けられ、この一対の側板２の上部側に設けられて、その下側に広い空間を形成するように構成されている。
【００１７】
この楽器本体１内には、図２および図３に示すように、鍵盤部３が設けられている。この鍵盤部３は、白鍵および黒鍵からなる多数の鍵３ａと鍵盤シャーシ４とを備え、多数の鍵３ａが鍵盤シャーシ４上に配列され、これら鍵３ａの各後端部が鍵盤シャーシ４の後端部上(図３では右端部上)にそれぞれ回動可能に取り付けられ、この状態で押鍵操作によって各鍵３ａが上下方向に回動するように構成されている。
【００１８】
また、この楽器本体１の後側上部(図３では右側上部)には、図２および図３に示すように、カバーケース５が鍵盤部３の後部上側から鍵盤部３の後方下部に亘って設けられている。このカバーケース５の前側上部(図３では左側上部)には、図１〜図３に示すように、音量や音色などの各種機能を選択指定する複数のスイッチを有する操作スイッチ部６が設けられている。
【００１９】
この操作スイッチ部６の下側には、図３に示すように、回路基板７が鍵盤部３の後側上部(図３では右側上部)に位置して設けられている。また、鍵盤部３の後方に位置するカバーケース５の下側における両側の内部には、図１に示すように、スピーカ８がそれぞれ設けられている。さらに、カバーケース５の後側上部(図３では右側上部)には、図２および図３に示すように、譜面立て９が斜め後側上方に向けて傾いた状態で起立して設けられている。
【００２０】
ところで、この楽器本体１は、図３に示すように、鍵盤部３を開閉可能に覆うための鍵盤蓋１０を備えている。また、この楽器本体１の下部側には、鍵盤蓋１０を収納する蓋収納部１１が設けられている。鍵盤蓋１０は、図３に示すように、鍵盤部３の前端側(図３では左端側)を覆う前蓋１２と、鍵盤部３の上部側を覆う後蓋１３とを備えている。この場合、後蓋１３は、鍵盤部３の前部側を覆う第１後蓋１４と鍵盤部３の後部側を覆う第２後蓋１５とに分割されている。
【００２１】
すなわち、この第１後蓋１４と第２後蓋１５とは、図４（ａ）および図４（ｂ）に示すように、それぞれ上方に向けて凸となるように鍵盤部３の前後方向（図４（ａ）では左右方向）に沿って緩やかに湾曲して形成されている。これにより、第１後蓋１４と第２後蓋１５とは、図３に示すように、鍵盤部３の上側を覆って配置された際に、鍵盤部３の前後方向における中間部に対応する箇所が最も高くなり、第１後蓋１４の前側および第２後蓋１５の後側がそれぞれ緩やかに下がりながら湾曲する。このため、第１後蓋１４と第２後蓋１５とは、それぞれ緩やかに湾曲していることにより、その剛性が強化されるように構成されている。
【００２２】
また、鍵盤蓋１０は、図３、図４および図６に示すように、前蓋１２の上端部と後蓋１３の第１後蓋１４における前端部（図３では左端部）とが蝶番などの回動連結部１６によって回動自在に連結されている。また、後蓋１３における第１後蓋１４と第２後蓋１５とは、図４（ａ）および図４（ｂ）に示すように、第２後蓋１５が第１後蓋１４上をスライドするように連結された構成になっている。
【００２３】
すなわち、この第１後蓋１４の所定箇所には、図１および図４に示すように、鍵盤部３の前後方向（図４（ａ）では左右方向）に沿って２つのガイド孔１４ａが設けられており、この第１後蓋１４の両側には、図１および図５に示すように、第２後蓋１５の両側部をガイドするガイドカバー１４ｂが設けられている。また、第２後蓋１５の前側下面には、図４（ａ）および図４（ｂ）に示すように、第１後蓋１４の２つのガイド孔１４ａ内をそれぞれ移動する２つのガイドピン１５ａが設けられている。
【００２４】
これにより、後蓋１３は、図３および図４（ａ）に示すように、鍵盤部３の上側を覆って閉じた状態で、第２後蓋１５の後端上部に設けられた取手部１５ｂを手前（図４（ａ）では左側）に引いて鍵盤部３を露出させる際に、第２後蓋１５が第１後蓋１４の上面をスライドしながら、第２後蓋１５のガイドピン１５ａが第１後蓋１４のガイド孔１４ａ内を移動すると共に、第２後蓋１５の両側部が第１後蓋１４のガイドカバー１４ｂに沿って移動し、第２後蓋１５が第１後蓋１４上に重なり合うように構成されている。
【００２５】
この場合、後蓋１３は、図４(ｂ)に示すように、第２後蓋１５が第１後蓋１４上に重なり合うと、第２後蓋１５のガイドピン１５ａが第１後蓋１４のガイド孔１４ａの前端（図４（ｂ）では左端部）に当接し、これにより第１後蓋１４に対する第２後蓋１５のスライドが停止されるように構成されている。
【００２６】
また、この後蓋１３は、図４(ｂ)に示すように、第２後蓋１５が第１後蓋１４上に重なり合って鍵盤部３の後部側を露出させた状態から鍵盤部３を閉じる際に、前述と逆の動作を行って、第２後蓋１５のガイドピン１５ａが第１後蓋１４のガイド孔１４ａの後端（図４（ａ）では右端部）に当接し、これにより第１後蓋１４に対する第２後蓋１５のスライドが停止され、鍵盤部３の上部側を覆うように構成されている。
【００２７】
ところで、この後蓋１３は、図１に示すように、移動規制部材としての２本のリンクアーム１７によって、図８および図９に示すように、鍵盤蓋１０の開閉動作を一定の移動軌跡Ｋに規制されるように構成されている。すなわち、この２本のリンクアーム１７は、それぞれ金属製の棒であり、図１および図６に示すように、一端部１７ａが楽器本体１の両側部における前端上部に回動可能に取り付けられ、他端部１７ｂが後蓋１３の第１後蓋１４の後端下部に回動可能に取り付けられている。
【００２８】
この場合、リンクアーム１７は、図１に示すように、第１後蓋１４の前後方向(図１では上下方向)の長さとほぼ同じ長さに形成され、図６および図７（ａ）に示すように、一端部１７ａ（図７（ａ）では下端部）が楽器本体１の外側（図７（ａ）では左側）に向けてほぼ直角に折り曲げられ、この折り曲げられた一端部１７ａが図６に示すように楽器本体１の両側内面における前端上部に設けられた軸受穴１８（図６では片側のみを示す）に回転自在に取り付けられている。
【００２９】
また、このリンクアーム１７は、その他端部１７ｂ（図７（ａ）では上端部）が楽器本体１の内側（図７（ａ）では右側）に向けてほぼ直角に折り曲げられ、この折り曲げられた他端部１７ｂが第１後蓋１４の後端下部に設けられた取付板１９(図４（ａ）参照)に回転自在に取り付けられている。これにより、リンクアーム１７は、後蓋１３の第１後蓋１４の後部を楽器本体１に対して連結している。
【００３０】
このため、このリンクアーム１７は、図３に示すように、鍵盤蓋１０が閉じて鍵盤部３上を覆った際に、後蓋１３の第１後蓋１４の下側に位置し、鍵盤蓋１０を開く際に、図８および図９に示すように、一端部１７ａが楽器本体１の軸受穴１８を中心に回転することにより、第１後蓋１４の後端部がリンクアーム１７を半径とする円弧を描くように、第１後蓋１４の移動軌跡Ｋを規制し、鍵盤蓋１０が蓋収納部１１に収納された際に、図１０に示すように、楽器本体１の軸受穴１８から垂下されるように構成されている。
【００３１】
一方、前蓋１２は、図３に示すように、その上下方向における長さが、鍵盤シャーシ４の前端部の上側に露出する鍵盤部３の前端面、つまり多数の鍵３ａの各前端面が前側に露出する部分を隠す程度の短い長さに形成されている。この前蓋１２の両側には、移動規制部材としての支持アーム２０がそれぞれ設けられている。この支持アーム２０は、図６に示すように、一端部２０ａが前蓋１２の両側上部に回動自在に取り付けられ、他端部２０ｂにピニオンギア２１が回転自在に取り付けられ、このピニオンギア２１が図８〜図１０に示すように蓋収納部１１内を移動するように構成されている。
【００３２】
すなわち、支持アーム２０は、図７（ｂ）に示すように、金属製の棒であり、その一端部２０ａ（図７（ｂ）では上端部）が楽器本体１の内側（図７（ｂ）では右側）に向けてほぼ直角に折り曲げられ、この折り曲げられた一端部２０ａが図６に示すように前蓋１２の上部に回転自在に取り付けられている。
【００３３】
また、この支持アーム２０は、図７（ｂ）に示すように、他端部２０ｂ（図７（ｂ）では下端部）が楽器本体１の外側（図７（ｂ）では左側）に向けてほぼ直角に折り曲げられ、この折り曲げられた他端部２０ｂに図６に示すようにピニオンギア２１が回転自在に取り付けられ、このピニオンギア２１が蓋収納部１１内のラックギア２２に噛み合って転動するように構成されている。
【００３４】
この場合、蓋収納部１１は、図３に示すように、楽器本体１の下面に設けられた蓋収納ケース２３を備えている。この蓋収納ケース２３内における上部には、前蓋１２の支持アーム２０に設けられたピニオンギア２１をガイドするラックギア２２が楽器本体１の前後方向（図３では左右方向）に沿って設けられており、この蓋収納ケース２３内における下部には、後蓋１３を載置してガイドする蓋ガイド部２４が楽器本体１の前後方向（図３では左右方向）に沿って設けられている。
【００３５】
次に、この鍵盤楽器において鍵盤蓋１０を開閉する場合について説明する。
まず、鍵盤蓋１０を閉じた際には、図３に示すように、回動連結部１６を中心に前蓋１２と後蓋１３とがほぼ直角に折れ曲がり、前蓋１２が鍵盤部３の前端側の上部に配置され、後蓋１３が鍵盤部３の上側に配置される。このとき、後蓋１３の第１後蓋１４は鍵盤部３の前部側における上側に配置され、第２後蓋１５は鍵盤部３の後部側における上側に配置される。また、この第２後蓋１５のガイドピン１５ａは、図４（ａ）に示すように、第１後蓋１４のガイド孔１４ａの後端部（図４（ａ）では右端部）に当接する。これにより、鍵盤部３は鍵盤蓋１０によって覆われる。
【００３６】
この状態で、鍵盤蓋１０を開いて蓋収納部１１内に収納する際には、まず、図４（ａ）および図４（ｂ）に示すように、後蓋１３の第２後蓋１５の後端上部に設けられた取手部１５ｂを持ち上げながら手前側（図４（ａ）では左側）に移動させて、第２後蓋１５を第１後蓋１４上でスライドさせる。このときには、図４（ａ）および図４（ｂ）に示すように、第２後蓋１５のガイドピン１５ａが第１後蓋１４のガイド孔１４ａ内を移動しながら、第２後蓋１５の両側部が図５に示すように第１後蓋１４のガイドカバー１４ｂに沿って移動する。これにより、第２後蓋１５を第１後蓋１４上で円滑にスライドさせることができる。
【００３７】
そして、第２後蓋１５のガイドピン１５ａが第１後蓋１４のガイド孔１４ａの前端（図４（ｂ）では左端部）に当接すると、第１後蓋１４に対する第２後蓋１５のスライドが停止される。これにより、第２後蓋１５が第１後蓋１４上に重なり合い、鍵盤部３の後部側が開放されて上方に露出する。この状態で、第２後蓋１５の取手部１５ｂを更に手前側（図４では左側）に引くと、図８に示すように、第１後蓋１４と第２後蓋１５とが重なり合った状態で、第１後蓋１４が前側（図８では左側）に移動しながら、第１後蓋１４の後端部(図８では上端部)がリンクアーム１７によって押上げられる。
【００３８】
すなわち、第１後蓋１４と第２後蓋１５とが重なり合った状態で、手前側（図８では左側）に移動する際には、リンクアーム１７の一端部１７ａが楽器本体１の前端上部に設けられた軸受穴１８に回動可能に取り付けられ、他端部１７ｂが第１後蓋１４の取付板１９に回動可能に取り付けられているので、リンクアーム１７は一端部１７ａを中心に反時計回りに回転する。このときには、前蓋１２と後蓋１３とが回動連結部１６を中心に徐々に展開する方向に回動しながら、第１後蓋１４と第２後蓋１５とが重なり合った状態で、第１後蓋１４の後端部が、図８に示すように、前側上方に向けて移動する。
【００３９】
そして、第１後蓋１４と第２後蓋１５とが重なり合った状態で、更に手前側に移動すると、前蓋１２と後蓋１３とが回動連結部１６を中心に更に回動しながら、第１後蓋１４の後端部が、図８に示すように、リンクアーム１７によって支持された状態で、リンクアーム１７を半径とする円弧を描きながら前側上方に移動し、第１後蓋１４が楽器本体１の前方（図８では左側に）に突出する。このときに、リンクアーム１７がほぼ垂直に起立すると、図８に示すように、前蓋１２と後蓋１３とがリンクアーム１７によって吊下げられた状態になる。
【００４０】
この状態で、第１後蓋１４と第２後蓋１５とが重なり合った状態で、更に手前側に移動して、リンクアーム１７が更に反時計回りに回動すると、図９に示すように、第１後蓋１４と第２後蓋１５とが重なり合った状態で手前側に向けて斜め下側に移動すると共に、前蓋１２に設けられた支持アーム２０のピニオンギア２１が蓋収納部１１のラックギア２２に沿って移動する。このときには、前蓋１２とピニオンギア２１とを連結する支持アーム２０が前蓋１２に対して回動するので、ピにオンギア２１が蓋収納部１１内に円滑に移動する。
【００４１】
このときにも、リンクアーム１７によって第１後蓋１４の後端部が支持されているので、第１後蓋１４と第２後蓋１５とが重なり合った状態で、第１後蓋１４の後端部が円弧を描きながら斜め下側に向けて移動する。また、このときには、図９に示すように、前蓋１２に設けられた支持アーム２０のピニオンギア２１が蓋収納部１１のラックギア２２に噛み合った状態で前側（図９では左側）から後側（図９では右側）に向けて転動する。これにより、前蓋１２と後蓋１３とがラックギア２２に沿って移動し、前蓋１２が蓋収納部１１内に収納される。
【００４２】
この後、リンクアーム１７が更に回動して垂下された状態になると、図１０に示すように、前蓋１２のピニオンギア２１が蓋収納部１１のラックギア２２の後部側（図１０では右端部）に移動し、前蓋１２が蓋収納部１１内の後部側に収納される。また、第１後蓋１４と第２後蓋１５とは、重なり合った状態で、蓋収納部部１１の蓋ガイド部２４上に載置されて移動し、蓋収納ケース２３内に収納される。なお、鍵盤蓋１０を閉じる際には、前述した動作と逆の動作を行う。
【００４３】
このように、この鍵盤楽器の蓋開閉装置によれば、鍵盤部３の前端側を覆う前蓋１２と鍵盤部３の上部側を覆う後蓋１３とを回動連結部１６によって回動自在に連結した鍵盤蓋１０を、楽器本体１の下部側に移動させて蓋収納部１１に収納する際に、移動規制部材としてのリンクアーム１７によって鍵盤蓋１０の後蓋１３を楽器本体１に対する一定の移動軌跡上に沿って開閉させることができるので、回動連結部１６を中心に鍵盤蓋１０の前蓋１２と後蓋１３とが勝手に回動して自由に折れ曲がることがない。
【００４４】
このため、鍵盤蓋１０を楽器本体１の下部側に設けられた蓋収納部１１に収納するので、鍵盤部３の後部側に位置する楽器本体１内に鍵盤蓋１０を収納するスペースを設ける必要がなく、鍵盤部３の後部側に操作スイッチ部６や回路基板７、スピーカ８、譜面立て９などの部品を実装しても、楽器本体１の奥行きが大きくならず、十分に楽器全体１の小型化を図ることができると共に、リンクアーム１７によって鍵盤蓋１０の開閉動作を一定の移動軌跡に規制しているので、鍵盤蓋１０の開閉動作を安定させることができ、これにより鍵盤蓋１０を安全に開閉することができる。
【００４５】
この場合、リンクアーム１７は、その一端部１７ａが楽器本体１内の前端上部に設けられた軸受穴１８に回動自在に取り付けられ、他端部１７ｂが後蓋１３の第１後蓋１４に設けられた取付板１９に回動自在に取り付けられているので、鍵盤蓋１０を開閉する際に、リンクアーム１７の一端部１７ａが楽器本体１の軸受穴１８を中心に回動することにより、リンクアーム１７の他端部１７ｂに連結された第１後蓋１４がリンクアーム１７を半径とする円弧を描くように、後蓋１３の開閉動作を一定の移動軌跡に確実に規制することができる。
【００４６】
また、後蓋１３は、鍵盤部３の前部側を覆う第１後蓋１４と、鍵盤部３の後部側を覆う第２後蓋１５とに分割され、この第１後蓋１４と第２後蓋１５とがスライド可能に重なり合う状態で連結されていることにより、鍵盤蓋１０を蓋収納部１１内に収納する際に、第１後蓋１４と第２後蓋１５とを重ね合わせて収納することができる。
【００４７】
このため、蓋収納部１１の奥行きを短くすることができるので、鍵盤蓋１０をコンパクトに収納することができ、これにより楽器全体のより一層の小型化を図ることができる。また、第１後蓋１４と第２後蓋１５とが重なり合った状態で開閉動作するので、リンクアーム１７による後蓋１３全体の移動軌跡Ｋを小さくすることができ、これにより鍵盤蓋１０をコンパクトに且つ安全に開閉させることができる。
【００４８】
この場合、後蓋１３の第１後蓋１４と第２後蓋１５とは、それぞれ上方に向けて凸となるように鍵盤部３の前後方向（図４では左右方向）に沿って緩やかに湾曲して形成されているので、第１後蓋１４と第２後蓋１５とが鍵盤部３の上側を覆って配置された際に、鍵盤部３の前後方向における中間部に対応する箇所が最も高くなり、第１後蓋１４と第２後蓋１５とが前後方向に向けて緩やかに傾斜する。このため、第１後蓋１４と第２後蓋１５とは、全体が緩やかに湾曲していることにより、後蓋１３全体の剛性を強化することができるので、第１後蓋１４と第２後蓋１５との各厚みを薄く形成しても、後蓋１３としての強度を十分に確保することができる。
【００４９】
また、この鍵盤楽器の蓋開閉装置では、移動規制部材として、前蓋１２の下部に設けられた回転体であるピニオンギア２１と、このピニオンギア２１を蓋収納部１１内にガイドするガイド部材であるラックギア２２とを更に備えているので、鍵盤蓋１０を開閉する際に、前蓋１２のピニオンギア２１をラックギア２２に噛み合って転動させることができる。このため、前蓋１２を円滑に蓋収納部１１内で移動させることができと共に、前蓋１２の開閉動作における移動軌跡を確実に規制することができるので、これによっても鍵盤蓋１０の開閉動作を安定させて鍵盤蓋１０を安全に開閉することができる。
【００５０】
さらに、前蓋１２は、楽器本体１から露出する鍵盤部３の前端上部のみに対応して設けられているので、前蓋１２の上下方向の長さ、つまり収納する際における長さを短くすることができ、これによっても鍵盤蓋１０をコンパクトに収納することができるので、楽器全体の更なる小型化を図ることができる。
【００５１】
なお、前述した実施形態では、鍵盤蓋１０の後蓋１３が、第１後蓋１４と第２後蓋１５との２つに分割した構成である場合について述べたが、これに限らず、例えば後蓋を３つ以上に分割した構成でも良い。この場合にも、後蓋の複数に分割された各蓋部は、それぞれスライド可能に積み重なる状態で連結された構成にすれば良い。このように構成すれば、前述した実施形態よりも、更に鍵盤蓋をコンパクトに収納することができる。また、必ずしも後蓋を複数に分割する必要はなく、単体のままで前蓋と回動自在に連結した構成であっても良い。
【符号の説明】
【００５２】
１  楽器本体
３  鍵盤部
１０  鍵盤蓋
１１  蓋収納部
１２  前蓋
１３  後蓋
１４  第１後蓋
１４ａ  ガイド孔
１４ｂ  ガイドカバー
１５  第２後蓋
１５ａ  ガイドピン
１６  回動連結部
１７  リンクアーム
１７ａ  リンクアームの一端部
１７ｂ  リンクアームの他端部
１８  軸受穴
２０  支持アーム
２１  ピニオンギア
２２  ラックギア
２３  蓋収納ケース
Ｋ  移動軌跡
【図１】
2010164682.tif 000003
【図２】
2010164682.tif 000004
【図３】
2010164682.tif 000005
【図４】
2010164682.tif 000006
【図５】
2010164682.tif 000007
【図６】
2010164682.tif 000008
【図７】
2010164682.tif 000009
【図８】
2010164682.tif 000010
【図９】
2010164682.tif 000011
【図１０】
2010164682.tif 000012